(57)【要約】【課題】吹出風を左右に偏向させると生じる左右風向板の結露を防止する。【解決手段】本体に設けた吸込口と吹出口とを結ぶ空気通路に熱交換器と送風ファンとを設け、前記吹出口に室内への吹出風を左右に偏向する複数の左右風向板を回動自在に設けるとともに、これら左右風向板を連結板により回動自在に連結してなる空気調和機において、隣合う一対の前記左右風向板６の前後端間を対称な湾曲に形成すると共に、双方の上端中央に連結板７に連結する連結軸８ａと、左右風向板６を回動自在に軸支する回転軸８ｂとを備えたＬ字状の連結体８Ａ（８Ｂ）を一体かつ対称に形成した構成とする。【選択図】  図３
2004257674.tif 000002
【特許請求の範囲】
【請求項１】
本体に設けた吸込口と吹出口とを結ぶ空気通路に熱交換器と送風ファンとを設け、前記吹出口に室内への吹出風を左右に偏向する複数の左右風向板を回動自在に設けると共に、これら左右風向板群を連結板により回動自在に連結してなる空気調和機において、隣合う一対の前記左右風向板の前後端間を対称な湾曲に形成すると共に、双方の上端又は下端中央に前記連結板に連結する連結軸と回転軸を備えたＬ字状の連結体を一体かつ対称に形成してなることを特徴とする空気調和機。
【請求項２】
本体に設けた吸込口と吹出口とを結ぶ空気通路に熱交換器と送風ファンとを設け、前記吹出口に室内への吹出風を左右に偏向する複数の左右風向板を回動自在に設けると共に、これら左右風向板群を連結板により回動自在に連結してなる空気調和機において、隣合う一対の前記左右風向板の前後端間を対称な湾曲に形成すると共に、双方の上端又は下端中央間に、前記連結板に連結する連結軸と回転軸を備えたＴ字状の連結体を一体に形成してなることを特徴とする空気調和機。
【発明の詳細な説明】
【０００１】
【発明の属する技術分野】
本発明は空気調和機に係わり、詳しくは、室内への吹出風を左右に偏向する風向調節装置に関するものである。
【０００２】
【従来の技術】
空気調和機においては、例えば、図２で示すような室内機の本体１上部の吸込口２と、同本体１下部の吹出口３とを結ぶ空気通路に熱交換器４ａおよび４ｂと、同熱交換器４ａおよび４ｂで熱交換された空気を室内へ送出する送風ファン５とを設け、前記吹出口３に室内への吹出風を左右に偏向する複数の板状の左右風向板６を回動自在に軸支するとともに、これら左右風向板群を連結板により回動自在に連結した構成になっている。
【０００３】
ところで、送風ファン５からの吹出風は吹出口３に向かって直進するので、これを図７に示すような方向に回動させた複数の左右風向板６によって偏向しようとすると、吹出風がより多く当たる面は圧力面となり吹出風が偏向されるが、その裏側では風量が少なく負圧面となり、渦が起こり、この渦に室内空気が巻き込まれて表裏に温度差を生じ、冷房時はそこに結露が起こるという問題がある。
【０００４】
このような結露を防止するようにした風向調節装置としては（例えば、特許文献１参照）があるが、構成が複雑で、組立にも時間を要し、コスト的にも問題があった。
【０００５】
【特許文献１】
特開平１１ー１７３６５２号公報（第４頁、第１２図）
【０００６】
【発明が解決しようとする課題】
本発明においては、上記の問題点に鑑み、より簡単な構成にして、且つ結露を防止できるようにした風向調節装置を備えた空気調和機を提供することを目的としている。
【０００７】
【課題を解決するための手段】
本発明は上記の課題を解決するためになされたもので、第１の手段として、本体に設けた吸込口と吹出口とを結ぶ空気通路に熱交換器と送風ファンとを設け、前記吹出口に室内への吹出風を左右に偏向する複数の左右風向板を回動自在に設けると共に、これら左右風向板群を連結板により回動自在に連結してなる空気調和機において、隣合う一対の前記左右風向板の前後端間を対称な湾曲に形成すると共に、双方の上端又は下端中央に前記連結板に連結する連結軸と回転軸を備えたＬ字状の連結体を一体かつ対称に形成してなる構成とする。
【０００８】
第２の手段として、本体に設けた吸込口と吹出口とを結ぶ空気通路に熱交換器と送風ファンとを設け、前記吹出口に室内への吹出風を左右に偏向する複数の左右風向板を回動自在に設けると共に、これら左右風向板群を連結板により回動自在に連結してなる空気調和機において、隣合う一対の前記左右風向板の前後端間を対称な湾曲に形成すると共に、双方の上端又は下端中央間に、前記連結板に連結する連結軸と回転軸を備えたＴ字状の連結体を一体に形成してなる構成とする。
【０００９】
【発明の実施の形態】
以下、本発明の実施の形態を図１〜図６に基づいて説明する。
図１は空気調和機の室内機の一例を示す斜視図であり、図２は同室内機の内部構成を示す側断面図、図３および図４は第１の実施の形態を示す要部斜視図および動作説明図、図５および図６は第２の実施の形態を示す要部斜視図および動作説明図である。
【００１０】
図において、１は空気調和機の室内機本体、２は同室内機本体１の上部に設けられた室内空気の吸込口、３は同室内機本体１の下部に設けられた吹出口で、前記吸込口２と吹出口３を結ぶ空気通路には熱交換器４ａおよび４ｂと、同熱交換器４ａおよび４ｂで熱交換された空気を吹出口３に向けて送出する送風ファン５が設けられ、吹出口３にはその天井側に回動自在に軸支され、送風ファン５からの吹出風を左右に偏向する複数の左右風向板６が設けられ、この左右風向板群は後述する連結板によって回動自在に連結された構成になっている。なお、左右風向板群の前方には室内への吹出風を上下に偏向する上下風向板（図示省略）が設けられている。
【００１１】
左右風向板６は図３および図４に示すように、隣合う一対の左右風向板（６ー６）の前後端間を対称な湾曲に形成したものになっており、隣合う一対の左右風向板同士（６ー６）の上端中央部と、これら左右風向板群の後方上部の左右方向に設けられる連結板７との間に、後述する連結体８Ａ、８Ｂを設けた構成になっている。
【００１２】
連結体８Ａ、８Ｂは平面Ｌ字状で対称をなし、何れもその一端が、対向する左右風向板（６ー６）の上端面中央部から延出させた形でそれぞれ一体に形成され、他端上面に前記連結板７に回動自在に連結される連結軸８ａを有し、前記Ｌ字状のコーナ部上面に左右風向板（６ー６）をそれぞれ回動自在に軸支する回転軸８ｂを備えたものになっている。
【００１３】
上記構成によれば、回転軸８ｂが左右風向板６の上端から離れた位置にあるため、吹出風を直進させるときは、左右風向板（６ー６）が図４の（Ａ）に示すような横並びの対称位置となるが、吹出風を左方向に偏向させるときは、左右風向板（６ー６）が図４の（Ｂ）に示すような位置に回動し、また、吹出風を右方向に偏向させるときは、左右風向板（６ー６）が図４の（Ｃ）に示すような位置に回動して非対称となり、左右風向板６先端部近傍での渦と、この渦による室内空気の巻き込みが起き難くなり、結露しなくなる。
【００１４】
図５および図６は第２の実施の形態を示したもので、先に説明した第１の実施の形態との違いは隣合う一対の左右風向板（６ー６）と連結板７との間に設ける連結体８Ｃだけである。
この連結体８Ｃは、平面Ｔ字状でその左右両端が、隣合う一対の左右風向板（６ー６）の上端面中央部間に一体に形成され、他端上面に前記連結板７に回動自在に連結される連結軸８ａを有し、前記Ｔ字状の分岐点上面に左右風向板（６ー６）を回動自在に軸支する回転軸８ｂを備えたものになっている。
【００１５】
このような構成であれば左右風向板（６ー６）とその連結体８Ｃとを一度に形成することができ、また、一体化されているので従来の風向調節装置に比して組立が簡単に行える。なお、動作および機能においては、前者と似通っているので説明は省略する。
【００１６】
【発明の効果】
以上説明したような構成からなる左右風向板を有する空気調和機であれば、吹出風を左右に偏向しても、吹出口で空気抵抗が生じて送風の効率が低下したり、左右風向板に結露が発生するようなことはなく、品質および快適性が向上するにも係わらず、構成が単純であるためコストアップの恐れもない。
【図面の簡単な説明】
【図１】本発明に係わる空気調和機の室内機の外観斜視図である。
【図２】本発明および従来例に係わる室内機の内部構成を示す側断面図である。
【図３】本発明の第１の実施の形態を示す風向調節装置の要部斜視図である。
【図４】本発明の第１の実施の形態による動作機能の説明図で、（Ａ）は吹出風が直進のとき、（Ｂ）は吹出風が左方向に偏向されたとき、（Ｃ）は吹出風が右方向に偏向されたときである。
【図５】本発明の第２の実施の形態を示す風向調節装置の要部斜視図である。
【図６】本発明の第２の実施の形態による動作機能の説明図で、（Ａ）は吹出風が直進のとき、（Ｂ）は吹出風が左方向に偏向されたとき、（Ｃ）は吹出風が右方向に偏向されたときである。
【図７】従来例を示す空気調和機の送風ファンと左右風向板の関係説明図である。
【符号の説明】
１  室内機本体
２  吸込口
３  吹出口
４ａ、４ｂ  熱交換器
５  送風ファン
６  左右風向板
７  連結板
８Ａ、８Ｂ、８Ｃ  連結体
８ａ  連結軸
８ｂ  回転軸
【図１】
2004257674.tif 000003
【図２】
2004257674.tif 000004
【図３】
2004257674.tif 000005
【図４】
2004257674.tif 000006
【図５】
2004257674.tif 000007
【図６】
2004257674.tif 000008
【図７】
2004257674.tif 000009